(57)【要約】【課題】  天板を保護すると同時にクリーニングや交換が容易であり、しかも被搬送物を円滑に循環移動させることができる配給テーブルに用いるテーブルクロスを提供すること。【解決手段】  非磁性体の肉薄天板部４を備え、この肉薄天板部４上に載置した第１磁性部材１６を有する被搬送物８が、この肉薄天板部４下方に配設された循環移動する第２磁性部材１０によって循環移動して被搬送物８を配給する配給テーブルに用いるテーブルクロス３０であって、このテーブルクロス３０は肉薄天板部４上に敷かれ、被搬送物８側に面する表面は摩擦係数が低い布地３０ａで構成されるとともに、肉薄天板部４側に面する表面は肉薄天板部４に対して移動不能な高い摩擦係数の布地３０ｂで構成されている。【選択図】  図４
2005245980.tif 000002
【特許請求の範囲】
【請求項１】
非磁性体の肉薄天板部を備え、前記肉薄天板部上に載置した第１磁性部材を有する被搬送物が、該肉薄天板部下方に配設された循環移動する第２磁性部材によって循環移動して該被搬送物を配給する配給テーブルに用いるテーブルクロスであって、前記テーブルクロスは前記肉薄天板部上に敷かれ、被搬送物側に面する表面は摩擦係数が低く、肉薄天板部側に面する表面は肉薄天板部に対して移動不能な高い摩擦係数の布地で構成されていることを特徴とする配給テーブルに用いるテーブルクロス。
【請求項２】
前記布地は、摩擦係数が低い布地と、摩擦係数の高い布地とを張り合わせて一体化されている請求項１に記載の配給テーブルに用いるテーブルクロス。
【請求項３】
前記摩擦係数が低い布地を透光性の高い布地とし、摩擦係数の高い布地を着色した布地とした請求項２に記載の配給テーブルに用いるテーブルクロス。
【請求項４】
前記布地は循環移動部外の薄肉天板部に着脱自在の止着具で止着されている請求項１ないし３のいずれかに記載の配給テーブルに用いるテーブルクロス。
【請求項５】
前記配給テーブルは、前記肉薄天板部が円形状をなし、外周に該肉薄天板部を囲繞した補助テーブルが配されている請求項１ないし４のいずれかに記載の配給テーブルに用いるテーブルクロス。
【発明の詳細な説明】
【技術分野】
【０００１】
本発明は、被搬送物を循環移動させて被搬送物を配給する天板を備えた配給テーブルに用いるテーブルクロスに関する。
【背景技術】
【０００２】
従来、中央部に回転テーブルを有する配給テーブルがあり、主に中華レストラン等の飲食店のテーブルとして使用されている。この配給テーブルは、例えば、飲食皿に盛られた飲食物が前記回転テーブルに配膳され、所望する飲食物を自分の席の前まで動かし座ったままで自分の小皿に取るようにして利用していた（特許文献１、２参照）。
【０００３】
しかしながら、前記特許文献に記載のものは、回転テーブルを回動させる場合、テーブル上には飲食皿の他に調味料、さらには各種食器が載置されているため、特に、子供や老人が不用意に回転テーブルを回転させると、飲食皿の料理やスープ類をこぼし、テーブルを汚したり、熱いスープ類で火傷をする恐れがあった。
【０００４】
【特許文献１】実用新案登録第３００６８０５号公報（図１、３）
【特許文献２】特開平１０−１７９２５９号公報（図１）
【発明の開示】
【発明が解決しようとする課題】
【０００５】
このような事情に鑑み、本出願人はテーブルを回転させず飲食皿に盛られた飲食物のみを循環移動させて、好みの飲食物が自分の席の前まで移動してきたときに取るようにした配給テーブルを既に開発している（特願２００３−３８３０５９号）。この配給テーブルは天板下方に配設された循環移動する磁性部材によって、天板に載置した磁性部材を有する飲食皿が循環移動するもので、テーブル自体を回動する必要がなく、スープ類をこぼしたりする心配はなくなったが、飲食皿が天板上を円滑に滑動するために、天板を摩擦係数の小さな材質で作らなければならず、また、天板の表面が傷ついた場合には、その部分の摩擦抵抗が大きくなるので、飲食皿の移動が滞ってしまう恐れがあり、天板の交換を強いられていた。
【０００６】
本発明は、このような問題点に着目してなされたもので、天板を保護すると同時にクリーニングや交換が容易であり、しかも被搬送物を円滑に循環移動させることができる配給テーブルに用いるテーブルクロスを提供することを目的とする。
【課題を解決するための手段】
【０００７】
上記課題を解決するために、本発明の請求項１に記載の配給テーブルに用いるテーブルクロスは、非磁性体の肉薄天板部を備え、前記肉薄天板部上に載置した第１磁性部材を有する被搬送物が、該肉薄天板部下方に配設された循環移動する第２磁性部材によって循環移動して該被搬送物を配給する配給テーブルに用いるテーブルクロスであって、前記テーブルクロスは前記肉薄天板部上に敷かれ、被搬送物側に面する表面は摩擦係数が低く、肉薄天板部側に面する表面は肉薄天板部に対して移動不能な高い摩擦係数の布地で構成されていることを特徴としている。
この特徴によれば、テーブルクロスが肉薄天板部上に敷かれているので、天板を保護することができ、またテーブルクロスの肉薄天板部側に面する表面が肉薄天板部に対して移動不能な高い摩擦係数の布地で構成されているので、被搬送物の循環移動に対して共連れされることなくしっかりと固定され、かつ被搬送物側に面する表面は摩擦係数が低いので、被搬送物を円滑に移動させることができる。しかもテーブルクロスを肉薄天板部から取外してクリーニングしたり、新規のものと交換することも可能である。
【０００８】
本発明の請求項２に記載の配給テーブルに用いるテーブルクロスは、請求項１に記載の配給テーブルに用いるテーブルクロスであって、前記布地は、摩擦係数が低い布地と、摩擦係数の高い布地とを張り合わせて一体化されていることを特徴としている。
この特徴によれば、表面性状の異なる布地を別構成とすることで、最適な布地を選択して組み合わせることで、所望な表面性状を有するテーブルクロスを得ることができる。
【０００９】
本発明の請求項３に記載の配給テーブルに用いるテーブルクロスは、請求項２に記載の配給テーブルに用いるテーブルクロスであって、前記摩擦係数が低い布地を透光性の高い布地とし、摩擦係数の高い布地を着色した布地としたことを特徴としている。
この特徴によれば、一般に摩擦係数が低い布地は透光性が高いので、透光性の高い布地を選択することで使用する布地の選択の幅が広がり、しかも摩擦係数の高い布地は着色されているので、色の異なる各種のテーブルクロスを提供することができる。
【００１０】
本発明の請求項４に記載の配給テーブルに用いるテーブルクロスは、請求項１ないし３のいずれかに記載の配給テーブルに用いるテーブルクロスであって、前記布地は循環移動部外の薄肉天板部に着脱自在の止着具で止着されていることを特徴としている。
この特徴によれば、薄肉天板部に対するテーブルクロスの移動を止着具で補助することができるので、不用意にテーブルクロスを引っ張っても、テーブルクロスの移動が阻止される。
【００１１】
本発明の請求項５に記載の配給テーブルに用いるテーブルクロスは、請求項１ないし４のいずれかに記載の配給テーブルに用いるテーブルクロスであって、前記配給テーブルは、前記肉薄天板部が円形状をなし、外周に該肉薄天板部を囲繞した補助テーブルが配されていることを特徴としている。
この特徴によれば、肉薄天板部が円形状とすることで、中華テーブルの如き円卓テーブルとなすことができ、周囲の補助テーブルを食事台として利用でき、しかも補助テーブルの天板面と肉薄天板部の天板面を合わせることで、テーブルクロスを補助テーブル側まで延在させて使用することもできる。
【発明を実施するための最良の形態】
【００１２】
本発明の実施例を以下に説明する。
【実施例１】
【００１３】
本発明の実施例を図面に基づいて説明すると、先ず図1は、実施例１における配給テーブルを示す斜視図であり、図２は、配給テーブルの使用例を示す斜視図であり、図３は、図２におけるＡ−Ａ線の断面図であり、図４は図３の一部拡大断面図である。
【００１４】
図１の符号１は、本発明が適用された配給テーブルであり、この配給テーブル１は、固定天板２と、この固定天板２の中心に設けられた非磁性体からなる肉薄天板部を構成する天板４と、脚体５と、ハンドル６と、昇降ガイド杆７と、から構成されている。天板４は、その周辺に配置される固定天板２に対して昇降自在に設けられた筒状の天板保持枠３の上部開口に保持されており、これら天板４および天板保持枠３は、使用状況や環境に応じて図１の状態と図２の状態をそれぞれ選択して使用できるようになっている。また、図２に示されるように、天板４の上面周縁には、飲食物としての寿司等を載せた被搬送物としての複数の寿司皿８が載置され、後述するように該天板４の上面周縁を循環移動されるようになっている。
【００１５】
詳しくは、図３に示すように、脚体５上には、中央部に空洞スペースを有するフレーム１７で補強された補助テーブルとしての固定天板２が支持されており、この空洞スペース内に、前記天板４を上部に有する筒状の天板保持枠３が昇降自在に嵌装されている。
【００１６】
天板保持枠３は、脚体５に支持された上下方向を向く昇降ガイド杆７内に上下摺動自在に嵌装された昇降軸９の上部に、該昇降軸９に対して相対回転不能に固着された天板保持枠支持板２０の上部に取り付けられおり、この天板保持枠３の内部には、前記寿司皿８を循環移動させるための後述するマグネット式の搬送機構が内設されている。
【００１７】
昇降軸９の下部には、下端部の中径より上方に向けて第２回転軸格納孔２１が中空形成されているとともに、該回転軸格納孔２１の内面下部には雌ねじ部２７が形成されている。さらに昇降軸９の側部には、昇降軸９の軸心周りの回転を阻止するスプライン溝２２が形成されており、このスプライン溝２２内に、脚体５に支持された昇降ガイド杆７に設けられたピン２３が摺動自在に嵌装されており、昇降軸９の軸心周りの回転が規制されるようになっている。
【００１８】
脚体５の下部には、一方端部にハンドル６と他方端部に傘歯車２４とを有する回転軸２５が設けられている。また、上端部が前述の回転軸格納孔２１の下端部に設けられた雌ねじ部２７に螺合される雄ねじ杆２８の下端部には、前記傘歯車２４に噛合する傘歯車２６が固着されており、これら回転軸２５と雄ねじ杆２８の一端部は、脚体５に固設された回転軸支持部２９によって回転自在に支持されている。
【００１９】
よって、ハンドル６を正逆回転操作することで、回転軸２５の回転力が雄ねじ杆２８に伝達されて該雄ねじ杆２８が昇降ガイド杆７内において軸心周りに回動するとともに、該雄ねじ杆２８の回動により昇降ガイド杆７に対して相対回転不能に嵌挿された昇降軸９が昇降することになるため、前述の天板４を上部に有する天板保持枠３が、脚体５及び固定天板２に対して昇降するようになっている。
【００２０】
次に、天板保持枠３の内部に設けられている搬送機構について説明すると、天板保持枠３の内部における天板４の下方には、本実施例１における第２磁性部材である複数の永久磁石１０が複数配置された円板状の磁石支持部材１１が配設されている。詳しくはこの複数の永久磁石１０は、円板状の磁石支持部材１１の上面周縁部に沿うように、所定間隔おきに複数配置されている。
【００２１】
磁石支持部材１１の中心部は、昇降軸９の上端部に環装されたベアリング１５に固着されており、該ベアリング１５の外周に嵌入された軸受けリング１８を介して水平方向に回転自在に支持されている。
【００２２】
また、この磁石支持部材１１の下面には、内周面に歯部が形成された環状の円周歯車１２が固着されている。この円周歯車１２の内周面には、アングル１９を介して昇降軸９の上部に支持された駆動装置１３の出力軸の先端に固着された駆動力伝達ギア１４が噛合されており、駆動装置１３の駆動力が磁石支持部材１１に伝達されることで、磁石支持部材１１が昇降軸９を中心に水平回転するようになっている。
【００２３】
次いで、図４に示されるように、天板４上に載置される寿司皿８は、永久磁石１０に影響される（引き付けられる、または反発される）、すなわち、本実施例１における第１磁性部材としての永久磁石１６が設けられている。従って、磁石支持部材１１が回転されると、磁石支持部材１１上に固着された複数の永久磁石１０が昇降軸９を中心とした円周上に沿って移動することになり、該永久磁石１０の移動に伴って、磁力作用により寿司皿８の永久磁石１６が引き付けられて天板４上を寿司皿８が搬送されるようになっている。
【００２４】
本実施例における天板４は、図４に示されるように、天板保持枠３に対して着脱自在に取り付けられており、天板４の上面には、本発明としてのテーブルクロス３０が敷設されている。このテーブルクロス３０の端部は、天板４の端部と天板保持枠３との間に挟持されることで天板４上に止着されており、テーブルクロス３０は天板４から取外してクリーニングしたり、新規のものと交換することができるようになっている。
【００２５】
本実施例におけるテーブルクロス３０は、図４における拡大図に示すように、被搬送物である寿司皿８側に面する表面を構成する表布地３０ａと、肉薄天板部を構成する天板４側に面する表面を構成する裏布地３０ｂとが、接着剤３０ｃによって張り合わされて構成されている。表布地３０ａは、４フッ化エチレン樹脂を繊維化されたトヨフロン（Ｒ）繊維で構成されており、このトヨフロン（Ｒ）繊維は摩擦係数が低くなっており（摩擦係数μ≒０．０１）、寿司皿８がテーブルクロス３０上を摺動され易くなっている。
【００２６】
裏布地３０ｂは、摩擦係数が高くなるように、ポリエステル繊維等を用いて構成されており、裏布地３０ｂ摩擦係数を高くすることで、寿司皿８が天板４上を摺動かした際に、テーブルクロス３０が共連れされることなくしっかりと天板４上に固定されるようになっている。すなわち、本実施例におけるテーブルクロス３０は、被搬送物である寿司皿８側に面する表面を構成する表布地３０ａの摩擦係数は低く、肉薄天板部を構成する天板４側に面する表面を構成する裏布地３０ｂは肉薄天板部である天板４に対して移動不能な高い摩擦係数の布地で構成されている。
【００２７】
また、表布地３０ａは透光性が高くなっており、裏布地３０ｂは着色されていて、裏布地３０ｂの色彩が表布地３０ａを透して表面から見えるようになっているので、色の異なる各種のテーブルクロス３０を提供することができるようになっている。この裏布地の色彩は単色とは限らず複数の色を組合せた柄物としてもよい。
【００２８】
更に、表布地３０ａと裏布地３０ｂを別構成の布地とし、互いに接着剤３０ｃを用いて張り合わせて一体化することで、最適な布地を選択して組み合わせることができ、所望な表面性状を有するテーブルクロスを得ることができる。
【００２９】
上記実施例では、テーブルクロス３０の表布地３０ａとして、４フッ化エチレン樹脂を繊維化されたトヨフロン（Ｒ）繊維が用いられていたが、本発明はこれに限定されるものではなく、被搬送物側に面する表面の摩擦係数が低くなる材質にて構成されていれば、トヨフロン（Ｒ）やテフロン（Ｒ）等の４フッ化エチレン樹脂以外のフッ素樹脂や、あるいはフッ素樹脂以外の他の樹脂を用いた繊維で構成されていてもよいし、また、布地の種類も織物、編物、フェルト、シート、不織布、ペーパー等の様々な形態であってもよい。
【００３０】
上記実施例では、テーブルクロス３０の端部が、天板４の端部と天板保持枠３との間に挟持されて止着されていたが、本発明はこれに限定されるものではなく、鋲等の止着具を用いてテーブルクロス３０を天板４上に止着するようにしてもよく、天板４に対するテーブルクロス３０の移動を止着具で補助することで、不用意にテーブルクロス３０を引っ張っても、テーブルクロス３０の移動が阻止されるようになる。
【００３１】
固定天板２は食事台として使用でき、天板４が円形状となっていることで、中華テーブルの如き円卓テーブルとなすことができ、しかも昇降自在となっている天板４の天板面の高さを、固定天板２の天板面の高さと合わせることで、テーブルクロス３０を固定天板２側まで延在させて使用することもできる。
【００３２】
また、本実施例では、円形状の天板４が配給テーブル１の中心寄りに設けられていたが、本発明はこれに限定されるものではなく、肉薄天板部が外周縁寄りのみに設けられたドーナッツ形状をしていてもよい。
【実施例２】
【００３３】
まず、図５は本発明の実施例２における循環型搬送装置３２の外観を示す傾斜図であり、図６は、図５のＢ−Ｂ断面図である。
【００３４】
図５に示される循環型搬送装置（以下、搬送装置と略称する）３２の周囲には、飲食客が利用する飲食カウンター３１が設けられているとともに、該搬送装置３２の上部には、被搬送物となる合成樹脂の飲食容器、すなわち、本実施例においては飲食物としての寿司等が載置される寿司皿３３が搬送される無端状をなす搬送路が、前記飲食カウンター３１に沿うように設けられている。
【００３５】
搬送装置３２の躯体は、図６に示されるように、飲食カウンター３１の内端（図６の右端）に隣接して立設された基台３５と、該基台３５の上面に固着された支持ブラケット３６と、該支持ブラケット３６上に固着される縦断面が横長矩形をなす角筒状の樹脂製のダクト３７と、により構成されており、このダクト３７の外面には、カバー材として機能する案内部材３９が固定的に取り付けられている。
【００３６】
詳しくは案内部材３９は、ダクト３７の外面における飲食カウンター３１側と該飲食カウンター３１の反対側である厨房側とにそれぞれ別々に取り付けられる一対の案内部材３９、３９から構成されており、ダクト３７の上面を構成する本実施例における肉薄天板部としての上面板３７ａの上面に、前記寿司皿３３が搬送される無端状の搬送路が形成される。
【００３７】
また、このように搬送路の長手方向に対して左右側に別々に取り付けられるこれら一対の案内部材３９、３９それぞれの上部における互いの対向端部には、搬送路上を移動する寿司皿３３の逆テーパ状の外面３３ｂに摺接可能な上向ガイド３９ａが突設されており、寿司皿３３が搬送される際において、搬送方向に対して左右方向に大きく移動するのが防止されるようになっている。すなわち、本実施例におけるダクト３７の上面板３７ａは、被搬送物である寿司皿３３が搬送される搬送路を構成している。
【００３８】
また、ダクト３７内にはマグネット式の搬送機構４２が設けられており、この搬送機構４２は、ダクト３７内の上面に固着した支持基板４３上にボルト止めされて前記搬送路に沿って配置された無端状のチェーンレール４４と、このチェーンレール４４に案内されて飲食カウンター３１の内側を循環走行する無端状の駆動チェーン４５と、駆動チェーン４５の上端部に一定間隔おきに固着されたブラケット４６の上部に、上端面が案内ダクト３７の下面に近接するようにして取り付けられた第２磁性部材である永久磁石４７とからなっている。
【００３９】
また、ブラケット４６に固着された下向きの別のブラケット４８の下面には、第２磁性部材である永久磁石４７とは別の永久磁石４９が下向きに取り付けられており、この永久磁石４９により、湯呑み容器５１の底面に固着された金属片（図示略）を吸着することにより湯呑み容器５１が倒立状態で循環搬送されるようになっている。搬送中の湯呑み容器５１は飲食カウンター３１側から取外し可能となっており、飲食客はこれにお茶を入れて飲むことができるようになっている。なお、５２は、飲食カウンター３１の上面に立設された給湯器である。
【００４０】
図６に示されるように、寿司皿３３の底板３３ｃの下面中央には、第１磁性部材である永久磁石５０が固着されている。本実施例においては、この第１磁性部材である第１永久磁石５０と、前記搬送路を構成する上面板３７ａの下方に循環走行自在に配置された第２磁性部材である永久磁石４７とは、Ｎ極とＳ極とが互いに対向するように配置されており、これらの磁力作用により、永久磁石４７が走行することで永久磁石５０が引き付けられて搬送路である上面板３７ａ上を寿司皿３３が搬送されるようになっている。
【００４１】
なお、本実施例においては、第１磁性部材である第１永久磁石５０と第２磁性部材である永久磁石４７とは、Ｎ極とＳ極とが互いに対向するように配置され、互いの磁力の磁力作用を利用することで寿司皿３３が搬送されるようになっていたが、例えば第１磁性部材である第１永久磁石５０と第２磁性部材である永久磁石４７とを、Ｎ極とＮ極またはＳ極とＳ極とが互いに対向するように配置し、互いの磁力の反発作用を利用することで寿司皿３３が搬送されるようにしてもよい。
【００４２】
本実施例における肉薄天板部としての上面板３７ａの上面には、上記実施例１のテーブルクロス３０と同様に、被搬送物である寿司皿３３側に面する表面を構成する表布地６０ａと、肉薄天板部を構成する上面板３７ａ側に面する表面を構成する裏布地６０ｂとが、接着剤６０ｃによって張り合わされて構成されたテーブルクロス６０が敷設されている。また、このテーブルクロス６０は、上面板３７ａから取外してクリーニングしたり、新規のものと交換することができるようになっている。
【００４３】
この搬送装置３２において、マグネット式の搬送機構４２における駆動チェーン４５を循環走行させた状態で、寿司３４を載せた寿司皿３３が上面板３７ａ上に載置されると、その下面の永久磁石５０は、チェーン４５と共に走行する永久磁石４７の引力を受け、寿司皿３３は、永久磁石４７の上方に位置し、寿司皿３３の下面が上面板３７ａ上に敷設されたテーブルクロス６０に摺接した状態で搬送される。この搬送中に、好みの寿司皿３３をお客が手で掴んで手元に取出すことができる。
【００４４】
以上説明したように、本発明のテーブルクロスは、前記実施例１のような形態の配給テーブル１に適用されるものに限定されるものではなく、本実施例2のように、平面視略「ロ」字状に構成されるとともに、非磁性体の肉薄天板部である上面板３７ａを備え、該上面板３７ａ上に載置した第１磁性部材である永久磁石５０を有する被搬送物である寿司皿３３が、該上面板３７ａ下方に配設された循環移動する第２磁性部材である永久磁石４７によって循環移動して該寿司皿３３を配給するようになっている配給テーブルに適用されるテーブルクロス６０であってもよく、前記実施例１と同様の作用・効果を奏することになる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
上記実施例では、被搬送物として寿司皿が適用されていたが、本発明はこれに限定されるものではなく、利用形態によっては、飲食物以外のファイルなどのステーショナリーその他のテーブル上を移動させたい物品であってもよい。
【図面の簡単な説明】
【００４７】
【図１】実施例１における配給テーブルを示す斜視図である。
【図２】配給テーブルの使用例を示す図である。
【図３】図２におけるＡ−Ａ線の断面図である。
【図４】図３の一部拡大断面図である。
【図５】実施例２における循環型搬送装置の外観を示す傾斜図である。
【図６】図５のＢ−Ｂ断面図である。
【符号の説明】
【００４８】
１    配給テーブル
２    固定天板（補助テーブル）
３    天板保持枠
４    天板（肉薄天板部）
５    脚体
６    ハンドル
７    昇降ガイド杆
８    寿司皿（被搬送物）
９    昇降軸
１０    永久磁石（第２磁性部材）
１１    磁石支持部材
１２    円周歯車
１３    駆動装置
１４    駆動力伝達ギア
１５    ベアリング
１６    永久磁石（第１磁性部材）
１７    フレーム
１８    軸受けリング
１９    アングル
２０    天板保持枠支持板
２１    回転軸格納孔
２２    スプライン溝
２３    ピン
２４    傘歯車
２５    回転軸
２６    傘歯車
２７    雌ねじ部
２８    雄ねじ杆
２９    回転軸支持部
３０    テーブルクロス
３０ａ  表布地
３０ｂ  裏布地
３０ｃ  接着剤
３１    飲食カウンター
３２    循環型搬送装置
３３    寿司皿
３３ｂ    外面
３３ｃ    底板
３４    寿司
３５    基台
３６    支持ブラケット
３７    ダクト
３７ａ    上面板
３９    案内部材
３９ａ    上向ガイド
４２    搬送機構
４３    支持基板
４４    チェーンレール
４５    駆動チェーン
４６    ブラケット
４７    永久磁石（第２磁性部材）
４８    ブラケット
４９    永久磁石
５０    永久磁石（第１磁性部材）
５１    容器
６０    テーブルクロス
６０ａ    表布地
６０ｂ    裏布地
６０ｃ    接着剤
【図１】
2005245980.tif 000003
【図２】
2005245980.tif 000004
【図３】
2005245980.tif 000005
【図４】
2005245980.tif 000006
【図５】
2005245980.tif 000007
【図６】
2005245980.tif 000008